(57)【要約】      （修正有）【課題】吸い口の不快な触感や閉められた後に液体が前記吸い口と通気孔との両者から漏れ出しやすいという問題を解決するボトルキャップ構造を提供する。【解決手段】ボトルキャップ構造は、垂直方向に上下に連通する上部チューブ１１及び下部チューブ１４と、底面に通気孔１３１が設けられ、内部に筒状の漏出防止部材１５が設けられる凹部１３とを有する本体と、シリコンゴム材料で製造され、上部チューブに密着するように設けられ、吸う時の触感に優れた吸い口部３と、下へ突出する錐形栓部２１１とプランジャー２２とを有し、本体に回転可能に連結され、本体を覆う場合に、栓部は、外径の一部が吸い口部の開口の内径に密着するように開口に挿入され、かつプランジャーは、外径が筒状の漏出防止部材の内径に密着するように筒状の漏出防止部材に挿入され、管状の吸い口部に対して優れた密封性を有するカバー部２と、を備える。【選択図】図３
0003224251.tif 000002
【実用新案登録請求の範囲】
【請求項１】
垂直方向に上下に連通する上部チューブ及び下部チューブと、底面に通気孔が設けられ、内部に筒状の漏出防止部材が設けられる凹部とを有する本体と、
シリコンゴム材料で製造され、前記上部チューブに密着するように設けられ、一端の開口が上に向けられる吸い口部と、
下へ突出する栓部とプランジャーとを有し、前記本体に回転可能に連結され、前記本体を覆う場合に、前記栓部は、外径の一部が前記吸い口部の前記開口の内径に密着するように前記開口に挿入され、かつ前記プランジャーは、外径が前記筒状の漏出防止部材の内径に密着するように前記筒状の漏出防止部材に挿入されるカバー部と、を備えることを特徴とするボトルキャップ構造。
【請求項２】
前記栓部は、錐体であることを特徴とする、請求項１に記載のボトルキャップ構造。
【請求項３】
更に、前記下部チューブに密着するように設けられ、下端口が下に向けられるストローを備えることを特徴とする、請求項１または２に記載のボトルキャップ構造。
【請求項４】
前記漏出防止部材は、シリコンゴム材料で製造されることを特徴とする、請求項１または２に記載のボトルキャップ構造。
【請求項５】
前記カバー部に上へ突起する突起部が形成され、前記突起部の下方に前記吸い口部と前記上部チューブとを収容可能な内部空間が形成され、かつ、前記内部空間の上面が下に突出することによって前記栓部が形成されることを特徴とする、請求項１または２に記載のボトルキャップ構造。
【請求項６】
前記カバー部の一端に、２つの片持ちアームが設けられ、前記２つの片持ちアームの対向する位置に、それぞれピボットが設けられ、前記本体の一側に、前記ピボットに対応するピボット穴が設けられ、複数の前記ピボットと複数の前記ピボット穴とが相互に枢着されることにより、前記カバー部と前記本体とが相対的に回転し得ることを特徴とする、請求項５に記載のボトルキャップ構造。
【請求項７】
前記本体に、突出するリングが設けられ、複数の前記ピボット穴は、前記リングの相対する両側に設けられることを特徴とする、請求項６に記載のボトルキャップ構造。
【請求項８】
前記カバー部の他端にロック部が設けられ、前記本体の他側にフランジが設けられ、前記カバー部が前記本体を完全に覆う場合に、前記ロック部によって前記フランジがロックされ、前記カバー部が前記本体に固定されることを特徴とする、請求項６に記載のボトルキャップ構造。
【考案の詳細な説明】
【技術分野】
【０００１】
本考案は、ボトルやカップなどの容器に取り付けられるボトルキャップに関し、特に、吸い口の触感及び密封性に優れたボトルキャップ構造に関する。
【背景技術】
【０００２】
一般的に、吸い口とフリップアップキャップとを有するスポーツボトル、カップ、又はドリンクボトルなどの容器のボトルキャップにおいては、前記吸い口が同一のプラスチック材料でボトルキャップと一体成形され、かつ、ボトルキャップの上方から突出する。また、カバー部は、ボトルキャップに可動に連結され、前記吸い口に対応する位置に漏出防止栓が設置される。前記カバー部が閉状態にある場合に、前記漏出防止栓が吸い口の開口を塞いで容器内の液体の漏出を防止する。しかしながら、前述した従来の技術では、前記吸い口がボトルキャップと同じく硬質なプラスチック材料で製造されるものであるので、使用者が吸い口を吸う際に不快感を感じることがある。また、前記漏出防止栓は、平面構造によって吸い口の開口を塞ぐため、ボトルを携帯する使用者が激しい運動をすると、漏出防止栓と吸い口の開口との接触位置に隙間が生じて液体が漏れ出しやすい。
【０００３】
一方、容器内の液体をスムーズに流し出させるために、通常のボトルはボトルキャップに通気孔を設ける必要もあるが、前記通気孔は液体のもう一つの漏出経路になることが多い。この問題を防止するために、従来では、カバー部にもう一つの小さい漏出防止栓を設けることにより、カバー部がボトルキャップに被装されて吸い口の開口を塞ぎつつ前記小さい漏出防止栓が通気孔を塞ぐようにしている。しかしながら、前述のように、使用者が激しい運動をする場合、同様に、小さい漏出防止栓と通気孔との接触位置に隙間が生じ、液体が漏れ出してしまう。
【考案の概要】
【考案が解決しようとする課題】
【０００４】
本考案は、従来の吸い口を有するボトルキャップにおいて、吸い口の不快な触感や閉められた後に液体が前記吸い口と通気孔との両者から漏れ出しやすいという問題を解決することを目的とする。
【課題を解決するための手段】
【０００５】
本考案に係るボトルキャップ構造は、
垂直方向に上下に連通する上部チューブ及び下部チューブと、底面に通気孔が設けられ、内部に筒状の漏出防止部材が設けられる凹部とを有する本体と、
シリコンゴム材料で製造され、前記上部チューブに密着するように設けられ、一端の開口が上に向けられる吸い口部と、
下へ突出する栓部とプランジャーとを有し、前記本体に回転可能に連結されるカバー部と、を備える。
前記本体を覆う場合に、前記栓部は、外径の一部が前記吸い口部の前記開口の内径に密着するように前記開口に挿入され、かつ前記プランジャーは、外径が前記筒状の漏出防止部材の内径に密着するように前記筒状の漏出防止部材に挿入される。前記栓部と吸い口部との密着、及びプランジャーと漏出防止部材との密着により、従来のボトルキャップに存在する液体漏れ問題を完全に克服する。
【０００６】
好ましくは、カバー部に設置される前記栓部は、錐体に形成されてもよく、前記錐体を吸い口部の内径に挿入させることにより、密着効果をさらに奏することができる。
【０００７】
本考案は、ストローを更に備えてもよい。前記ストローは、下部チューブに密着するように設けられ、下端口が下に向けられる。
【０００８】
好ましくは、前記漏出防止部材は、食品等級のシリコンゴム材料で製造される。
【０００９】
一実施形態では、前記カバー部に上へ突起する突起部が形成され、前記突起部の下方に前記吸い口部と前記上部チューブとを収容可能な内部空間が形成され、かつ、前記内部空間の上面が下に突出することによって前記栓部が形成される。
【００１０】
一実施形態では、前記カバー部の一端に、２つの片持ちアームが設けられ、前記２つの片持ちアームの対向する位置に、それぞれピボットが設けられ、前記本体の一側に、前記ピボットに対応するピボット穴が設けられ、複数の前記ピボットと複数の前記ピボット穴とが相互に枢着されることにより、前記カバー部と前記本体とが相対的に回転し得る。
【００１１】
一実施形態では、前記本体に、突出するリングが設けられ、複数の前記ピボット穴が、前記リングの相対する両側に設けられる。
【００１２】
一実施形態では、前記カバー部の他端にロック部が設けられ、前記本体の他側にフランジが設けられ、カバー部が本体を完全に覆う場合に、前記ロック部によって前記フランジがロックされ、カバー部が本体に固定される。
【考案の効果】
【００１３】
従来のボトルキャップと比較すると、本考案では、吸い口部として食品等級のシリコンゴム材料を採用するため、使用者が吸う際により優れた触感を有する。また、カバー部に設けられた栓部及びプランジャーによって吸い口部及び通気孔をそれぞれ塞ぐことにより、密封性を向上させ、液体漏れ問題が生じなくなる。
【図面の簡単な説明】
【００１４】
【図１】本考案のボトルキャップの外観構造を示す斜視図である。
【図２】本考案のボトルキャップの主要部品の組み合わせの関係を示す分解斜視図である。
【図３】本考案のボトルキャップの主要部品の構成及びその組み合わせの関係を示す分解平面断面図である。
【図４】本考案のボトルキャップの各部品を組み合わせた構造であり、かつカバー部材が開いた時の平面断面図である。
【図５】図４に示されるカバー部材が閉じる時の平面断面図である。
【図６】本考案のボトルキャップとボトルとを組み合わせた時の使用状態を示す斜視図である。
【考案を実施するための形態】
【００１５】
以下、当業者が明細書に基づいて本考案を実施できるように、図面を参照しながら、本考案の実施の形態をより詳しく説明する。
【００１６】
図１〜図３に示されるように、本考案に係るボトルキャップ１は、少なくとも本体１と、カバー部２と、吸い口部３とを備える。本体１は、好ましくは食品等級のプラスチック材料で一体成形され、貫通孔１１０を介して垂直方向に上下に連通する上部チューブ１１と下部チューブ１４とを有し、かつ、他の位置に下へ一定深さまで凹む凹部１３を有する。前記凹部１３の底面には、上下に貫通する通気孔１３１が設けられる。また、本考案は、筒状の漏出防止部材１５を更に備える。前記漏出防止部材１５は、好ましくは食品等級のシリコンゴム材料で筒状体に製造され、かつ凹部１３内に密着に設けられ、通気孔１３１と漏出防止部材１５との内径を連通させる。
【００１７】
図３に示されるように、前記ボトルキャップ１の本体１０には、雌ねじ１０１が更に設けられる。前記雌ねじ１０１がボトル５（図６参照）の上端開口の雄ねじ（未図示）に螺合されることにより、ボトルキャップ１とボトル５とからなるボトルキャップを有する容器が構成される。
【００１８】
また、本体１０の一側には、突出するリング１２が設けられる。前記リング１２は、ボトルキャップ１をボトル５にロックさせた後に使用者が指を通して持ちやすいために使用されるものであり、好ましくは適当な角度で傾斜する形態で配置され、また、好ましくはリング１２の相対する両側にそれぞれピボット穴１２１が設けられる。リング１２の本体１０の他側には、本体１０の側壁から突出するフランジ１６が設けられる。
【００１９】
前記吸い口部３は、好ましくは食品等級のシリコンゴム材料で管状に製造され、一端が上部チューブ１１に密着するように設けられ、吸い口部３の一端の開口が上に向けられ、使用者が口で吸うためのものとして使用される。前記吸い口部３は、吸うための一端の辺縁が円弧形に形成され、口に含まれる時に使用者に優れた触感を与え、擦過傷を起こさないようにする。
【００２０】
前記カバー部２は、プラスチック材料で一体成形され、下方の異なる位置にそれぞれ下へ突出する栓部２１１とプランジャー２２とを有する。前記栓部２１１は、錐体に形成されることが好ましく、前記プランジャー２２は、円柱体に形成される。カバー部２の上方には、上へ突起する突起部２１が更に形成され、前記突起部２１の下方には、前記吸い口部３と前記上部チューブ１１とを収容可能な内部空間が形成され、前記内部空間の上面が下に突出することによって前記栓部２２が形成される。
【００２１】
また、カバー部２の径方向の一側には、２つの片持ちアーム２４が設けられ、前記２つの片持ちアーム２４の対向する位置にそれぞれピボット２４１が設けられる。カバー部２は、前記２つのピボット２４１と本体１０の２つのピボット穴１２１とが相互に枢着されることにより、カバー部２と本体１０とが相対的に回転可能となる。本考案の好適な実施形態では、２つの片持ちアーム２４の間に円弧形を呈する凹所２５が形成される。カバー部２が本体１０に枢設されると、リング１２が凹所２５中に収容され、カバー部２と本体１０との間における干渉を防止する。
【００２２】
一方、本考案は、カバー部２の片持ちアーム２４が設置される側とは反対の側、即ち前記径方向の他側にロック部２３１が設置される。ロック部２３１には、外側方向へ突出する摘み部２３が形成される。本体１０に枢設されるカバー部２が本体１０を完全に覆う場合に、前記ロック部２３１によってフランジ１６がロックされ、カバー部２が本体１０に固定される。
【００２３】
図４〜図６に示されるように、本考案では、一般に市販されるストロー４の一端が下部チューブ１４に密着するように設置され、前記ストロー４の下端口が下に向けられる。これにより、前記摘み部２３を摘まんでカバー部２を開ける時に（図４参照）、通気孔１３１によってボトル５内外の対流作用が発生し、使用者が吸い口部３を口に含むと、ボトル５内の飲料や水を吸い飲み可能になる。カバー部２が閉じる時に（図５参照）、ロック部２３１によって本体１０のフランジ１６がロックされることにより、カバー部２と本体１０とが固定され、テーパー比を有する栓部２１１が吸い口部３の開口をきつく塞ぎ、ボトル５内の液体が漏れ出さなくなるとともに、プランジャー２２が通気孔１３１に連通する漏出防止部材１５を塞ぎ、ボトル５内の液体が通気孔１５から漏れ出すことを防止する。
【００２４】
上記をまとめると、本考案は、吸い口部３及び漏出防止部材１５として食品等級のシリコンゴム材料を採用することにより、吸い口部３を吸う時に使用者により優れた触感を与えることができる。また、カバー部２に設けられる硬質の栓部２１１及びプランジャー２２によって軟質のシリコンゴムからなる吸い口部３及び通気孔１３１に連通する軟質の漏出防止部材１５をそれぞれ塞ぐことにより、より高い密封性を提供し、液体漏れ問題が生じなくなる。
【００２５】
上記に記載されたものは、本考案の好ましい実施例を説明するためのものに過ぎず、本考案を限定することを意図するものではない。したがって、本考案と同じ精神に基づいての本考案に係る任意の修正や変更は、いずれも本考案の請求の範囲に含まれる。
【符号の説明】
【００２６】
１      ボトルキャップ
１０    本体
１０１  雌ねじ
１１    上部チューブ
１１０  貫通孔
１２    リング
１２１  ピボット穴
１３    凹部
１３１  通気孔
１４    下部チューブ
１５     漏出防止部材
１６    フランジ
２      カバー部
２１    突起部
２１１  栓部
２２    プランジャー
２３    摘み部
２３１  ロック部
２４    片持ちアーム
２４１  ピボット
２５    凹所
３      吸い口部
４      ストロー
５      ボトル本体
【図１】
0003224251.tif 000003
【図２】
0003224251.tif 000004
【図３】
0003224251.tif 000005
【図４】
0003224251.tif 000006
【図５】
0003224251.tif 000007
【図６】
0003224251.tif 000008